(57)【要約】【課題】浴槽用手摺りを可及的に強固に浴槽壁に取付ける。【解決手段】下向きコ字状の跨設部材２と、該跨設部材２を浴槽の壁３に跨設した後に固定するハンドル付押圧板５と、からなり、前記押圧板５にネジ棒７の先端を連結し、該ネジ棒７を前記浴槽内の該跨設部材のコ字足板に回動自在に設けたナット８に螺合した浴槽用手摺りにおいて、前記壁３の厚さに応じて、前記跨設部材２のコ字連結部２０を、ビス２５の着脱により、コ字間隔を大略調節した後、前記押圧板５を該壁３の側面に対し微調節かつ強固に押圧するに際し、該押圧板５と前記ナット８とを可及的に接近させた状態で押圧するようにしたので、ネジ棒７に過大なモ−メントが発生せず、ひいては押圧板５を不要に首振りさせず、壁３に強固に取付けられる。【選択図】図１
2005095492.tif 000002
【特許請求の範囲】
【請求項１】
下向きコ字状の跨設部材と、該跨設部材を浴槽の厚肉側壁板に跨設した後に固定するハンドル付押圧板と、該跨設部材に設けた入浴者用把持部と、からなり、
前記押圧板にネジ棒の先端を連結し、該ネジ棒の基端側に前記ハンドルを一体的に設けると共に、該ネジ棒を前記浴槽内の該跨設部材のコ字足板に回動自在に設けたナットに螺合して、前記ハンドルを回動しても該ハンドル位置を変えないようにした浴槽用簡易型手摺りにおいて、
前記厚肉側壁板の厚さに応じて、前記跨設部材のコ字連結部を、固定用ビスの着脱により、コ字間隔を大略調節した後、前記押圧板を該厚肉側壁板の側面に対し微調節かつ強固に押圧するに際し、該押圧板と前記ナットとを可及的に接近させた状態で押圧するようにしたことを特徴とする浴槽用簡易型手摺り。
【請求項２】
前記厚さ方向のコ字間隔を調節するため１対のコ字連結部間に着脱自在のスライド板を介在させた請求項１に記載の浴槽用簡易型手摺り。
【請求項３】
前記スライド板に平面視で略Ｃ字ないし略チャンネル断面状のスリットを設けて、該スリットに前記固定用ビスを挿通した請求項２に記載の浴槽用簡易型手摺り。
【請求項４】
下向きコ字状の跨設部材と、該跨設部材を浴槽の厚肉側壁板に跨設した後に固定するハンドル付押圧板と、該跨設部材に設けた入浴者用把持部と、からなり、
前記押圧板にネジ棒の先端を連結し、該ネジ棒の基端側に前記ハンドルを一体的に設けると共に、該ネジ棒を前記浴槽内の該跨設部材のコ字足板に設けたナットに螺合した浴槽用簡易型手摺りにおいて、
前記厚肉側壁板の厚さに応じて、前記跨設部材のコ字連結部を、頭付固定用ビスの着脱により、コ字間隔を調節するようにし、該コ字連結部を、ビス頭嵌合部を天井に設けた浅底カバ−で着脱自在にカバ−すると共に、前記固定用ビスの頭部が該ビス頭嵌合部に嵌入したとき、該浅底カバ−が密接嵌合できるようにした浴槽用簡易型手摺り。
【請求項５】
前記コ字連結部間に１枚の４角状スライド板を載置してコ字間隔を調節すると共に、該スライド板を、浅底カバ−の４辺で密着カバ−した請求項４に記載の浴槽用簡易型手摺り。
【発明の詳細な説明】
【技術分野】
【０００１】
本発明は、浴槽用簡易型手摺りに関するものである。
【背景技術】
【０００２】
周知のごとく、身体障害者や高齢者や低学年の児童（以下、入浴者という）の入浴動作中、浴槽への出入動作、すなわち浴槽を跨ぐ動作が最も困難とされている。そのため、浴槽への出入動作を補助するのに手摺りを設けている。
【０００３】
この手摺りは、本来、体を支えて手で摺べらすことからネ−ミングされたといわれ、浴槽は勿論、浴室の壁面に取付けられているが、壁材によっては充分な固定力がない（脆弱や空洞のため）場合があるので、浴槽の厚肉側壁板に取付ける簡易型手摺りが用いられている。
【０００４】
すなわち、強度確認容易（ＪＩＳ規格による浴槽のエプロン面変形試験ずみのもの）で、かつ、素人でも容易に取付けられる浴槽用簡易型手摺りが汎用されている。
【０００５】
かかる浴槽用簡易型手摺りに関して各種の提案がなされている。例えば、実開平４−４６３０号公報、実開平６−４８４９０号公報、特開平１１−４７０１６号公報等によって各種の提案がなされている。
【０００６】
本出願人も図４に示す浴槽用簡易型手摺りについて提案を行い、その商品を提供し好評を博している。
【０００７】
これについて述べる。この浴槽用簡易型手摺り１００は、下向きコ字状跨設部材２と、この跨設部材２を浴槽の厚肉側壁板（エプロンともいう）に固定するための、浴槽内のハンドル１０４付押圧板５と、この跨設部材２の浴槽外に立設したコ字状の入浴者用垂直状把持部６等からなり、この押圧板５はステンレス板で構成され、その片面に弾性保護板７が添着されており、他の面の中央部にはピン結合機構を介してネジ棒１０８の一端が連結されている。
【０００８】
このネジ棒１０８は、跨設部材２の一方の足板２ａに回動自在に遊嵌されたナットに螺合している。
【０００９】
このネジ棒１０８の他端側には、前記ハンドル１０４が前記ナットを介して外嵌している。
【００１０】
また、このハンドル１０４には、ネジ棒１０８の他端側がその軸方向に螺進退できる空洞部を形成している。
【００１１】
したがって、ハンドル１０４を回動すれば、ナットが一体に回動するので、ネジ棒１０８の他端が空洞部を矢印方向に螺進退し、このハンドル１０４を回動させても、浴槽内ではその位置が変わらないようになっている。
【００１２】
ところで、この種の一般的な浴槽用簡易型手摺りは、立位姿勢のバランスが悪く、かつ、強い力によりこれを使う入浴者を避け、若干の支えを必要とする入浴者を楽にする程度の機能をねらったものとされているので、かかる本出願人の提案の浴槽用簡易型手摺り１００の取扱い仕様書には、細心の取扱い説明や注意を記しており、また、手摺り構造自体でも、例えば、ネジ棒１０８の締付過剰に起因して厚肉側壁板の陥没変形によるネジのゆるみを防止するため、ネジ棒１０８が螺合するナットをポリエチレン製として締付過剰になるとネジ山のつぶれを期待して締付過剰を防止する、という構成を採択している。
【００１３】
しかしながら、かかる本出願人の提案の浴槽用簡易型手摺り１００でも、更にその固定が外れて危険のないように鋭意研究している。
【発明の開示】
【発明が解決しようとする課題】
【００１４】
特にネジ棒１０８と螺合するナットは、比較的薄肉（例えば４mm、つまり１cm足らずの薄肉）の足板２ａに遊嵌して取付けられているので、そのガタがあるだけにネジ棒１０８を大きく進めた状態の押圧板５に、予想外の外力がかかるとナットの部分に大きいモ−メントが発生し、その結果、押圧板５が首振りぎみとなって外れるおそれが生じる。
【００１５】
そのため、ネジ棒１０８を可及的に螺進退させずに押圧板５をナットに近い状態で使用すると、その押圧力が安定するという知見に基づいて本発明が創作された。
【００１６】
なお、一般市販の浴槽には、ＦＲＰ製、ステンレス製、ユニットバス、檜風呂、ホ−ロ−製、タイル製等多種のものがあり、その浴槽エプロンの厚さや形状（二方エプロン、一方エプロン、半エプロン等）にも多様化がみられる。
【００１７】
そのため、厚肉側壁板の厚さの多様化に対応する浴槽用簡易型手摺りが、次のように提案されている（特開２０００−１８９３３９号公報参照）。
【００１８】
すなわち、下向きコ字状跨設部材で、そのコ字状連結部をやや長寸に形成し、これを２分割した後、その分割端を着脱自在に重合してネジで縫付け、コ字間隔を調節することにより、厚肉側壁板の厚さに対応させようとしている。
【００１９】
この提案では、ネジ棒が螺合するナットは、跨設部材のコ字足板に固着され、ネジ棒の螺進退をその略全長にわたり使用しても、ハンドルが浴槽内に大きく突出しない、とされているので、ひいては、押圧板を進めた状態の使用が好ましいと解され、本発明の前記課題解決には適用できない。
【００２０】
しかも、この種の浴槽用簡易型手摺りは、いわゆる自助具の一つであるが、一般に自助具を用いるときの留意点の一つに使用にあたって危険が伴わないものとされる原則が知られている。それにも拘らず、この提案ではコ字連結部をネジで縫付け、そのネジの頭部はむき出しにしているので、裸体の入浴者にとって危険性が伏在している、という問題もある。
【課題を解決するための手段】
【００２１】
かかる問題解決を含め、本発明の要旨とするところは、１）下向きコ字状の跨設部材と、該跨設部材を浴槽の厚肉側壁板に跨設した後に固定するハンドル付押圧板と、該跨設部材に設けた入浴者用把持部と、からなり、  前記押圧板にネジ棒の先端を連結し、該ネジ棒の基端側に前記ハンドルを一体的に設けると共に、該ネジ棒を前記浴槽内の該跨設部材のコ字足板に回動自在に設けたナットに螺合して、前記ハンドルを回動しても該ハンドル位置を変えないようにした浴槽用簡易型手摺りにおいて、前記厚肉側壁板の厚さに応じて、前記跨設部材のコ字連結部を、固定用ビスの着脱により、コ字間隔を大略調節した後、前記押圧板を該厚肉側壁板の側面に対し微調節かつ強固に押圧するに際し、該押圧板と前記ナットとを可及的に接近させた状態で押圧するようにしたことを特徴とする浴槽用簡易型手摺りにあり、また、２）前記厚さ方向のコ字間隔を調節するため１対のコ字連結部間に着脱自在のスライド板を介在させた請求項１に記載の浴槽用簡易型手摺りにあり、また、３）前記スライド板に平面視で略Ｃ字ないし略チャンネル断面状のスリットを設けて、該スリットに前記固定用ビスを挿通した請求項２に記載の浴槽用簡易型手摺りにあり、また、４）下向きコ字状の跨設部材と、該跨設部材を浴槽の厚肉側壁板に跨設した後に固定するハンドル付押圧板と、該跨設部材に設けた入浴者用把持部と、からなり、前記押圧板にネジ棒の先端を連結し、該ネジ棒の基端側に前記ハンドルを一体的に設けると共に、該ネジ棒を前記浴槽内の該跨設部材のコ字足板に設けたナットに螺合した浴槽用簡易型手摺りにおいて、前記厚肉側壁板の厚さに応じて、前記跨設部材のコ字連結部を、頭付固定用ビスの着脱により、コ字間隔を調節するようにし、該コ字連結部を、ビス頭嵌合部を天井に設けた浅底カバ−で着脱自在にカバ−すると共に、前記固定用ビスの頭部が該ビス頭嵌合部に嵌入したとき、該浅底カバ−が密接嵌合できるようにした浴槽用簡易型手摺りにあり、また、５）前記コ字連結部間に１枚の４角状スライド板を載置してコ字間隔を調節すると共に、該スライド板を、浅底カバ−の４辺で密着カバ−した請求項４に記載の浴槽用簡易型手摺りにある。
【発明の効果】
【００２２】
本発明によると、押圧板とナットとを接近させて使用するので、外力による押圧板の首振りを防止して浴槽壁から手摺りを、該手摺りにとって最大の注意事項である不測の外れによる身体の怪我を防止することができる。
【００２３】
請求項２によると、前記の他、スライド板の介在により厚さが狭小の場合にも使用できると共に、そのカバ−は伸縮いずれの場合にもガッチリと良好に着脱できる。
【００２４】
請求項３によると、前記の他、厚さ方向に外力が作用しても固定用ビスが移動しない。  
【００２５】
請求項４、５によると、複数の頭付固定用ビスで跨設部材のコ字連結部を縫付け固定するので、これらの頭付固定用ビスの螺合が正確に行われておれば、跨設部材にガタが発生せず、ひいては、浴槽に簡易型手摺りが強固に固定されるが、その一部でも螺合不足があれば、すなわち、頭付固定用ビスの頭部がより突出していると、浅底カバ−のビス頭嵌合部に嵌合せず、したがって、浅底カバ−が正姿勢で嵌合しないので、この固定用ビスの螺合のやり直しチェックができる。
【００２６】
そして、この浅底カバ−は固定用ビスの頭部が突出したコ字連結部の安全性に資することができるいわゆる自助具の危険性を除くことができる。
【発明を実施するための最良の形態】
【００２７】
本発明を添付図面に示す実施例により詳細に述べる。
【００２８】
図１は本発明の実施例の要部縦断面図、図２は図１のＡ〜Ａ矢視断面図、図３は図１の要部平面図（Ａ）およびＢ〜Ｂ矢視断面図（Ｂ）であって、図４で示す従来例と共通する部分は、その図示および説明を簡略化ないし省略するので、その部分はそのまま記載があるものとする。
【００２９】
本発明の実施例の浴槽用簡易型手摺り１は、浴槽の厚肉側壁板３の厚さＷに対し、幅が４５ｍｍから１３０ｍｍまで調節できる範囲に一応拡大して厚肉側壁板３の厚さの多様化に対処できるようにしているが、ネジ棒７の螺進ストロ−ク範囲を最小限にして、ネジ込み操作を容易にし、かつ、押圧板５の押圧力を均一化しようとするもので、殊に、ネジ棒７を可及的に螺進せずに前記課題の首振りを防ぎ、押圧板５の押圧力をその全面で均一化しようとするものである。
【００３０】
さて、この浴槽用簡易型手摺り１は、後記詳細の全体として下向きコ字状のステンレス等鈑金製跨設部材２と、この跨設部材２を浴槽の厚肉側壁板３にガッチリと着脱自在に固定するための、浴槽内側に設けたハンドル４付の押圧板５と、この跨設部材２の浴槽外で立設された入浴者把持部（グリップ）６等、からなっている。
【００３１】
前記押圧板５とハンドル４とは次のように結合している。
【００３２】
この押圧板５に対しネジ棒７の先端側を、押圧板５が若干俯仰状に揺動できるように押圧板５の反押圧側に連結し、このネジ棒７の中央部より基端側に、フランジ付ナット８を介してハンドル４を外嵌している。
【００３３】
このフランジ付ナット８は、前記跨設部材２の浴槽内の薄肉状足板２ａに回動自在に支  持され、このフランジ付ナット８とハンドル４とは螺入された複数のネジピン９によって一体化し、ハンドル４を回動するとフランジ付ナット８も一体に回動する。
【００３４】
そして、ハンドル４の中心部には円筒状空洞部１０を形成し、ここに前記フランジ付ナット８の反フランジ側を内嵌すると共に、ネジ棒７の基端側が螺進退できるようにしている。
【００３５】
したがって、ハンドル４を正逆回動すると、フランジ付ナット８が一体回動し、ネジ棒７が螺進退して押圧板５が厚肉側壁板３を押圧したり、解放したりする。
【００３６】
前記押圧板５は合成樹脂製で、約１０５ｍｍ×１３５ｍｍの横長矩形板状に構成し、その押圧面の上、下縁側に水平状に平行な１対の凹溝１１、１１を形成し、この凹溝１１の内側で４隅に貫通孔（不図示）を設け、これらの貫通孔に押込み嵌合する足をもつゴム板１２を、押圧板５の押圧面に添着している。
【００３７】
ネジ棒７は快削黄銅製（金属製）とし、前記フランジ付ナット８の快削黄銅製（金属製）と相俟って、ネジ面圧の確保による強度を保持し、かつ、変形を防いで、押圧板５の押圧力向上と大きい首振りとを防止している。
【００３８】
このネジ棒７と押圧板５とは、その中心部において、１つの金属製ボルト１３によって一体化している。すなわち、押圧板５の中心部にネジ棒７の先端部を若干縮径して挿通・突出させ、その先端からネジ棒７の中心部にボルト１３を螺入して押圧板５を抜止めして一体化している。
【００３９】
このボルト１３の頭部を押圧板５の押圧面から突出させないため、その中心部近傍に凹部１４を設け、この凹部１４にボルト１３の頭部を収容している。
【００４０】
そのため、押圧板５の中心部近傍を薄肉としたので、その両面に金属製当板１５、１５を設けて、これによって挟み、これらの当板１５を複数のビス１６、１６によって縫付けている。したがって、これらの当板１５が押圧板５の補強になると共に、厚肉側壁板３が均一厚さでない現状（例えば山形状）に対応させるため、金属製ネジ棒７に対し合成樹脂製押圧板５を若干の首振りができるようにしている。
【００４１】
また、この跨設部材２の反押圧板側の足板２ｂには、ゴム板１７を接着剤により添着している。この足板２ｂには外側に４つのビス１８により入浴者用把持部６を立設している。なお、他の足板２ａにも浴槽内で把持する浴槽用把持部１９を設けている。
【００４２】
ここにおいて、本実施例の浴槽用簡易型手摺り１の跨設部材２では、そのコ字連結部（水平部）で２分割し、これらのコ字連結部２０、２０を１つの金属製スライド板２１によって着脱自在に連結して全体として下向きコ字状を形成し、厚肉側壁板３に跨設できるようにしている。
【００４３】
これらのコ字連結部２０、２０の各切口端２２は、両足板２ａ、２ｂが可及的に接近調節できるように、平面視で凹凸嵌合できる形状にしている。
【００４４】
一方の凸状コ字連結部２０に、３つの（複数）の固定用ビスメネジ孔２３、２３…を設け、他方の凹状コ字連結部２０に２つ（複数）の固定用ビスメネジ孔２４、２４を設けている。
【００４５】
一方、略長方形状の前記スライド板２１は、これらのコ字連結部２０、２０上に一部重ねて載置されており、複数の固定用ビス２５によって、これらのコ字連結部２０、２０とスライド板２１とを縫付けて固定するようにしている。
【００４６】
すなわち、このスライド板２１には、前記固定用ビスメネジ孔２３、２４の数より少なくとも２倍のビス挿通孔２６、２６…を開口し、これらのビス挿通孔２６のうち、厚肉側壁板３の厚さ方向に隣接する２つのものをスリット２７によって連通し、これらの２つのビス挿通孔２６、２６と１つのスリット２７とを１組とし、平面視で略Ｃ字ないし略チャンネル断面状に形成している。そして、これらのスリット２７、２７…は同じ方向に向いていて、少なくとも５つ設けられている。なお、図中３０は補強凸部を示す。
【００４７】
そこで、押圧板５をフランジ付ナット８に最も接近させた状態、つまり、後退させておき、１対のコ字連結部２０、２０を所定の厚肉側壁板３の上縁で向かい合せて跨設し、その上にスライド板２１を一部重ねてから、スライド板２１のビス挿通孔２６、２６…のうち、これらの１対のコ字連結部２０、２０が可及的に互に接近し、かつ、ビス挿通孔２６とビスメネジ孔２４とが合致するものを選択してから、固定用ビス２５をビス挿通孔２６を介してビスメネジ孔２３、２４に螺入すると、これらのコ字連結部２０とスライド板２１とは固定一体化できる。
【００４８】
この固定用ビス２５を少なくとも３つ使用すると、コ字連結部２０、２０とスライド板２１とは強固に固定できる。
【００４９】
そこで、ハンドル４を回動すると押圧板５が若干進み厚肉側壁板３をガッチリと押圧する。そのとき、ネジ棒７はフランジ付ナット８から、ひいては足板２ａから可及的に螺進しないので、これに外力が加わっても押圧板５には大きいモ−メントは発生しない。
【００５０】
したがって、本実施例の跨設部材２では、浴槽の厚肉側壁板３の厚さＷに対し、先ずスライド板２１のビス挿通孔２６の選択によりおおよそ対応させ、次いで、押圧板５の押圧力により微調節しながら、強力に固定して対応させるので、ネジ棒７の螺進を可及的に抑えることができ、ひいては、浴槽用簡易型手摺り１を浴槽に強固に取付けることができ、その外れによる危険を回避することができる。
【００５１】
以上の跨設部材２を更に詳細に述べる。
【００５２】
すなわち、前記のようにチャンネル断面状のスリット２７を形成しているので、次のように取扱えば作業が簡便となる。
【００５３】
スライド板２１をコ字連結部２０、２０上に、チャンネル深さ分だけ、厚肉側壁板３の厚さＷ直交方向にずらして一部重ねるように載置する。次いで、スリット２７からビスメネジ孔２３（２４）が合致させるようコ字間隔を調節し視認する。
【００５４】
そこで、スライド板２１を前記厚さＷ直交方向にチャンネル深さだけ戻すと、ビス挿通孔２６とビスメネジ孔２３（２４）とは合致する。
【００５５】
また、チャンネル断面状であるため、固定上でも好都合となる。すなわち、ビス挿通孔２６を通して固定用ビス２５を締め付けた状態では、前記厚さＷ方向に外力が作用しても、固定用ビス２５はスリット２７内を滑ることはない。
【００５６】
更に、常時、固定用ビス２５のネジ先端側をスリット２７に挿入し、ネジ先端をビスメネジ孔２６に若干螺入しておくと、これらのコ字連結部２０、２０は一応分離せず一体化しており、したがって、その取付け作業が容易になると共に、固定用ビス２５も散逸せず、コ字連結部２０の取扱時における部品落下による危険性も防止できる。
【００５７】
その上、固定用ビス２５を頭部の突出する皿小ネジや丸皿小ネジや鍋小ネジを用いると、上方突出部が可及的になくなり、更に、スライド板２１の４辺に嵌合する天地逆の浅底カバ−２８をつけると入浴者の怪我も防ぐことができる。
【００５８】
なお、この合成樹脂製、特に軟質のカバ−２８の天井面にビス頭を収容するだけの筋状溝２９、つまりビス頭嵌合部を設けておくと、固定用ビス２５が所定の位置から外れていると正姿勢でカバ−２８が嵌合できないので、固定用ビス２５の螺合状態チェックにもなる。
【００５９】
また、前記チャンネル状スリット２７に代り３つのビス挿通孔を直線状のスリットで連通させ、これらのビス挿通孔の表面側に固定用ビス２５の頭部を収容する凹部を設けてもよい。
【００６０】
このようにすると、この挿通孔の表面側の凹部が固定用ビスの頭部と係止するので、厚  肉側壁板３の厚さＷ方向に外力が作用しても、固定用ビス２５はスリット内を滑ることなく、ひいては、浴槽用簡易型手摺り１が厚肉側壁板３から外れることがない。
【００６１】
更に、スライド板２１を止め、コ字連結部２０、２０を厚さ方向に長寸に形成して２分割し、その分割端を厚さ方向に応じて重合調節してもよい。
【図面の簡単な説明】
【００６２】
【図１】本発明の実施例の要部縦断面図である。
【図２】図１のＡ〜Ａ矢視断面図である。
【図３】図１の要部平面図（Ａ）および断面図（Ｂ）である。
【図４】従来例である。
【符号の説明】
【００６３】
１    浴槽用簡易型手摺り
２    跨設部材
２ａ  足板
３    厚肉側壁板
４    ハンドル
５    押圧板
７    ネジ棒
８    フランジ付ナット
２０    コ字連結部
２１    スライド板
【図１】
2005095492.tif 000003
【図２】
2005095492.tif 000004
【図３】
2005095492.tif 000005
【図４】
2005095492.tif 000006